(57)【要約】【課題】複数のＴＶ番組を同時に記録したい場合、複数のＴＶ録画装置が必要でコストパフォーマンスが悪いという問題があった。【解決手段】ネットワーク上のテレビ信号を受信するチューナとそのチューナで受信されたテレビ信号を録画する機能を検出する手段と、前記検出されたチューナの存在を示すアイコンを表示する手段と、前記アイコンに対して予約情報を与える（ドラッグアンドドロップ）手段と、この予約情報が与えられたアイコンに関連づけられたネットワーク上のチューナを持つ録画装置で前記予約情報に記述された情報に基づき録画を実行する手段とを設けた。【選択図】  図１
2004289244.tif 000002
【特許請求の範囲】
【請求項１】
ネットワーク・プロトコルを介して、ネットワーク上に存在するテレビジョン信号を受信する受信手段と、前記受信手段または前記受信手段で選択された放送番組を記録する記録手段を検出する検出手段と、前記検出手段で検出された受信手段または記録手段をネットワーク・プロトコルを介して制御する制御手段と、前記検出手段で検出された受信手段または記録手段の情報を表示する表示手段とを備えるテレビジョン信号の録画装置。
【請求項２】
マウスクリックによって、表示手段に表示された録画予約情報を入力し、ドラッグアンドドロップによって、前記表示手段に表示された記録手段に録画予約情報を登録することを特徴とする請求項１記載のテレビジョン信号の録画装置。
【請求項３】
前記検出手段は定期的にネットワーク上の受信手段または記録手段を検出することを特徴とする請求項１記載のテレビジョン信号の録画装置。
【請求項４】
前記検出手段によって検出されたネットワーク上の受信手段または記録手段の録画中、視聴中等といった状況を前記表示手段に表示することを特徴とする請求項１記載のテレビジョン信号の録画装置。
【請求項５】
前記検出手段によって検出されたネットワーク上の受信手段または記録手段が受信または録画する放送番組の種類を前記表示手段に表示することを特徴とする請求項１記載のテレビジョン信号の録画装置。
【請求項６】
前記検出手段によって検出されたネットワーク上の受信手段または記録手段の設置場所を、前記表示手段に表示することを特徴とする請求項１記載のテレビジョン信号の録画装置。
【発明の詳細な説明】
【０００１】
【発明の属する技術分野】
本発明は、ネットワーク・プロトコル（以下、ＩＰと略称）で通信を行うＩＰネットワーク上に接続されたテレビジョン（以下、ＴＶと略称）信号を受信するチューナ機能と受信したＴＶ番組を録画する録画機能（以下、ＴＶ信号を受信するチューナ機能と受信したＴＶ番組を録画する録画機能を合わせて、ネットワーク録画リソースと略称）を利用してテレビ番組の録画制御を行うための録画装置に関するものである。
【０００２】
【従来の技術】
近年、パーソナルコンピュータ（以下、ＰＣと略称）でＴＶを楽しむことができるようになってきている。ＰＣでは従来の民生用のＴＶ、ＶＴＲ等では実現できなかった、タイムシフト再生などのＰＣならではの機能が実現でき、新しい楽しみ方の提供が行われている。またネットワーク上のＰＣに設置されたＴＶリソースを別のＰＣで利用してＴＶ番組を楽しむことも可能になっている。そのようなネットワーク上のＴＶリソースに対して録画予約なども行えるようになってきている。  例えば、インタ−ネツト上にある操作端末で閲覧ソフトを動作させてインタ−ネツト上の番組デ−タのサ−バ−にアクセスし、番組デ−タサ−バ−からの放送される番組についてのデ−タをダウンロ−ドして操作端末のデイスプレイ上に表示し、この表示画面をキ−ボ−ドやマウスで操作することによって、ＶＴＲに対して録画予約などを行う方法が提案されている（例えば  特許文献１参照。）。
【０００３】
【特許文献１】
特開平１０−４００５７号公報
【０００４】
【発明が解決しようとする課題】
しかしながらネットワーク上にある複数のＰＣ上のＴＶリソースを初心者ユーザが自由に利用して、録画予約や裏番組の録画を行うことが難しい、といった課題があった。
【０００５】
【課題を解決するための手段】
上記課題を解決するために、本発明（請求項１）にかかる録画装置は、ネットワーク・プロトコルを介して、ネットワーク上に存在するテレビジョン信号を受信する受信手段と、受信手段、または受信手段で選択された放送番組を記録する記録手段を検出する検出手段と、検出手段で検出された受信手段または記録手段をネットワーク・プロトコルを介して制御する制御手段と、検出手段で検出された受信手段または記録手段の情報を表示する表示手段とを備えたものである。
【０００６】
また、本発明（請求項２）にかかる録画装置は、マウスクリックによって、表示手段に表示された録画予約情報を入力し、ドラッグアンドドロップによって、表示手段に表示された記録手段に録画予約情報を登録する手段を備えたものである。
【０００７】
また、本発明（請求項３）にかかる録画装置は、検出手段は定期的にネットワーク上の受信手段または記録手段を検出する手段を備えたものである。
【０００８】
また、本発明（請求項４）にかかる録画装置は、前記検出手段によって検出されたネットワーク上の受信手段または記録手段の録画中、視聴中等といった状況を前記表示手段に表示する手段を備えたものである。
【０００９】
また、本発明（請求項５）にかかる録画装置は、検出手段によって検出されたネットワーク上の受信手段または記録手段が受信または録画する放送番組の種類を表示手段に表示する手段を備えたものである。
【００１０】
また、本発明（請求項６）にかかる録画装置は、検出手段によって検出されたネットワーク上の受信手段または記録手段の設置場所を、表示手段に表示する手段を備えたものである。
【００１１】
【発明の実施の形態】
以下、本発明の実施の形態を添付図面に基づき詳細に説明する。
【００１２】
（実施の形態）
図１は本発明の実施の形態による録画装置の構成を示すブロック図である。図において、１０１はＴＶ受信手段で、放送されるＴＶ信号を受信する。１０２はチューナ状況検出登録・手段でＴＶ受信手段１０１が録画に使われているかや現在使われていない、といったような利用状況を検出する。１０３はチューナ状況記録手段でチューナ状況検出・登録手段１０３で検出されたチューナ１０１の状況を記録して、その状況がネットワーク上の他のＰＣから参照できるようにする。１０４はチューナリソース状況表示手段であり、チューナ状況検出登録手段１０２で検出されているチューナ１０１の動作状況を利用者がわかる様に表示装置に表示する。  １０５はチューナリソース検出手段でネットワーク上のＴＶチューナの存在・状況を検出し、チューナリソース状況表示手段１０４に表示する。１０６は録画情報登録管理手段でユーザからの録画予約情報を管理して、録画予約設定がされた時刻が来ると録画実行手段１０７に録画指示を出す。録画実行手段１０７は、例えばハードウエアＭＰＥＧ２エンコーダやソフトウェアＭＰＥＧ２エンコーダなどの公知のエンコード手段によってチューナから出力された映像信号を録画に適した形にエンコードしてハードディスクＨＤＤに記録する。ＤＩＳＰは表示装置であり、ＰＣで動作するソフトウェアの実行に応じて必要な情報を表示する。ＣＰＵは演算装置で主にソフトウェアを実行し、ＴＶ受信手段１０１、、チューナ状況検出登録・手段１０２、チューナ状況記録手段１０３、チューナリソース状況表示手段１０４、チューナリソース検出手段１０５、録画情報登録管理手段１０６、録画実行手段１０７、チャンネル選択手段１０８の制御を行う。ＭＥＭは記憶装置で主に実行するソフトウェアを保持する。ＨＤＤはハードディスクでソフトウェアや種々のデータを保存する。ＬＡＮはＬＯＣＡＬ  ＡＲＥＡ  ＮＥＴＷＯＲＫで公知のインターネット・プロトコル（以下、ＩＰと略称）によってＬＡＮにつながるＰＣ（Ｐｅｒｓｏｎａｌ  Ｃｏｍｐｕｔｅｒ、以下ＰＣと略記）間の情報交換を実現する。ＡＮＴはアンテナで放送電波を受信する。ＰＣ１、ＰＣ２、ＰＣ３はＬＡＮによってお互いに情報交換を行うＰＣでＰＣ１と同じ構成を備えている。
【００１３】
次に動作について説明する。ＰＣ１はＴＶ放送を受信・表示・録画するためのハードウエアを備えている。図示されていないリモコンや、キーボードなどによってユーザにより選択された受信チャンネルがチャンネル選択手段１０８により選択され、ＴＶ受信手段１０１は放送されるＴＶ信号を受信する。チューナ状況検出登録・手段１０２ではＴＶ受信手段１０１が録画に使われているかや現在使われていない、といったような演算装置ＣＰＵの制御によって決定されるＴＶチューナの利用状況を管理し、ＬＡＮ上に接続されている他のＰＣからＰＣ１のチューナ状況がわかるように情報提供する。具体的には、演算装置ＣＰＵの制御によってＴＶチューナの利用状況が変化するたびに、チューナ状況検出・登録手段１０３はその状況をＰＣ２，ＰＣ３が読みとることができるファイル”ＴＵＮＥＲ１＿ＳＴＡＴＵＳ”としてＨＤＤ上に書き出し、このファイルが変更されたことを公知のＩＰブロードキャストによってネットワークに放送する。。ネットワーク（ＬＡＮ）上の他のＰＣ（ＰＣ２、ＰＣ３）はＩＰブロードキャストされた更新情報を受けたときに、このファイル”ＴＵＮＥＲ１＿ＳＴＡＴＵＳ”を参照することによってＰＣ１のチューナ利用状況が把握できる。あるいは、ファイル”ＴＵＮＥＲ１＿ＳＴＡＴＵＳ”を用いずに、ＴＶチューナの利用状況を含めてＩＰブロードキャストしてもよい。ＰＣ２，ＰＣ３も同様にそれぞれのチューナ利用状況をＩＰブロードキャストしてＬＡＮに接続されている各ＰＣにチューナ利用状況を通知する。チューナリソース検出手段１０５はＬＡＮ上のＴＶチューナの存在・状況を、ファイル”ＴＵＮＥＲ１＿ＳＴＡＴＵＳ”やＩＰブロードキャストされる信号によって検出し、チューナリソース状況表示手段１０４に表示する。
【００１４】
チューナリソース状況表示手段１０４はＬＡＮ上に接続されている各ＰＣでチューナが録画に利用されているとか、視聴に利用されている、または利用されていない、といった動作状況が利用者から容易にがわかる様に、チューナリソース検出手段１０５で検出された状況に基づいて表示装置ＤＩＳＰ上に表示する。例えば、図２はＰＣ１にインストールされているチューナが録画に利用されているので赤色のアイコン、ＰＣ２にインストールされているチューナが視聴に利用されているので黄色のアイコン、ＰＣ３にインストールされているチューナが利用されていないので青色のアイコンで表示されている例を示している。
このような状況のとき、ＰＣ１を利用しているユーザが他の番組を録画使用とした場合について、以下説明する。ＰＣ１を利用しているユーザは表示装置に表示される図２の状況をみて、ＰＣ３のチューナが利用されていない状況にあることがわかるためＰＣ３に対して録画指示を行うことができる。
【００１５】
録画情報登録管理手段１０６は、情報表示装置上に表示されたＰＣ３のチューナを利用して録画するために、図３（ａ）に示したように、ネットワーク録画リソースのアイコン３０３に対して、特定のフォーマットで記述された録画予約情報ファイルを、公知のＰＣに対する操作であるドラッグアンドドロップをユーザが行うことよって、ＬＡＮ上のＰＣ３のチューナに録画予約情報を登録することが可能である。録画予約情報ファイルには、図３（ｂ）に示したように、録画予約チャンネル、開始時刻、終了時刻、録画品質などの情報が記録されており、そのファイルがアイコン３０３に対してドラッグアンドドロップされると、その録画予約情報がＰＣ３の録画情報登録管理手段１０６に登録され、録画予約設定がされた時刻が来るとＰＣ３の制御下にある録画実行手段１０７によって録画が実行される。図３（ａ）や図３（ｂ）のユーザ操作により、ＰＣ３のファイル”ＴＵＮＥＲ３＿ＳＴＡＴＵＳ”に録画予約情報が入力され更新され、更新されたことをＬＡＮ上のＰＣに伝えるために公知のＩＰブロードキャストを発行する。ＰＣ３からのＩＰブロードキャストを受けたＬＡＮ上のＰＣは表示装置上のＴＶリソースアイコンの表示を変更する。（請求項２）
上で述べたドラッグアンドドロップでの操作と同様な処理は、図４に示したように、情報表示装置上に表示されたネットワーク録画リソースのアイコン３０３をダブルクリックすることによって、録画予約情報を入力するための入力手段を利用者に表示して、この入力部に必要な録画予約情報を入力し、情報表示機能に関連づけられたネットワーク上の録画リソースに録画予約情報を登録することもが可能である。（請求項３）
また、定期的にネットワーク上の録画リソースを公知のポーリングなどの手段によって検出し、この検出結果によって検出されたネットワーク録画リソースが視聴中で利用されているとか、録画実行中である、または何らかの理由でネットワーク録画リソースが録画に使えない等と言った利用状況や、新たに検出されたネットワーク録画リソースについて、アイコンの表示を動的に変更することによってユーザに知らすこともできる。（請求項４）（請求項５）（請求項６）（請求項７）（請求項８）
また、ネットワーク上ので利用可能なチューナの種類（地上波、ＢＳ、ＣＳ等）によって表示するアイコンを変えることとによってネットワーク上の録画リソースの種類を利用者にユーザに知らすこともできる。図５では地上波チューナが居間にあり予約などが可能なアイドル状態（ａ）、寝室にあるＢＳチューナは録画予約状態（ｂ）、食堂にあるＣＳチューナはアイドル状態（ｃ）、子供部屋にあるＣＡＴＶチューナは録画中状態（ｄ）の場合のアイコン表示例を示している。このようなネットワーク上ので利用可能なチューナの種類・状況の表示は、例えば、チューナがＰＣに組み込まれるときにチューナの仕様データについて”ＴＵＮＥＲ１＿ＳＴＡＴＵＳ”、”ＴＵＮＥＲ２＿ＳＴＡＴＵＳ”、”ＴＵＮＥＲ３＿ＳＴＡＴＵＳ”等のファイルに記述してネットワークに接続された各ＰＣからアクセスが可能な場所に保存しておき、このデータファイル”ＴＵＮＥＲ１＿ＳＴＡＴＵＳ”、”ＴＵＮＥＲ２＿ＳＴＡＴＵＳ”、”ＴＵＮＥＲ３＿ＳＴＡＴＵＳ”を参照することによって判別することが可能である。図５に示した例の”ＴＵＮＥＲ１＿ＳＴＡＴＵＳ”の記述例を第６図に示しているネットワーク録画リソースを利用するソフトウェアはこのファイルの更新を公知のポーリングやイベントなどの手段によって監視し、変更を検出した際にその変更内容によって表示するアイコンを変更する。このようにアイコンでネットワークチューナリソースのある場所を表示することによって、家の中のどのネットワーク録画リソースを使って録画を行わすかを指定することもできる。図７にはユーザにＴＶリソースがどこにあるかをよりわかりやすく示すための、アイコンの例を示している。（請求項９）（請求項１１）
また、ネットワーク録画リソースに対して録画予約情報を入力する際に、入力された録画予約情報が完了可能かを表示装置上に表示することによって利用者にユーザに録画予約が完了可能か否かを知らせることもできる。入力された録画予約情報が完了可能かについては、録画予約情報を入力された際に予約情報（録画レートと録画時間）から必要な記録容量を算出し、その記録容量が選択されたネットワーク録画リソースが設置されているＰＣで確保できるかどうかをチェックすることによって行われる。録画に選択されたＰＣの空き容量はＯＳが提供する公知の空き容量を取得するＡＰＩ（ＡＰＰＬＩＣＡＴＩＯＮ  ＰＲＯＧＲＡＭ  ＩＮＴＥＲＦＡＣＥ）を用いて取得できる。図３（ａ）や図４で示したユーザの録画予約操作時に空き容量のＡＰＩを呼び出し、空き容量が録画予約情報から計算できる必要容量と比較して少ない場合、表示装置上に録画が完了できない旨を示す情報を表示し、ユーザにその予約を実行するか、中止するかを決定させる。（請求項１０）
このように、本実施の形態にかかる録画装置では、ＬＡＮ上に存在するチューナの利用状況・存在場所・種類などを表示装置上に表示することによりネットワーク上のチューナの利用状況が視覚的に理解することができ、ＬＡＮ上で現在利用されていないチューナを選択して録画ができるようになるなど、ユーザの利便性を大きく高めることができる。
【００１６】
なお、本実施例はＰＣでの動作を例に説明を行ったが、これは本発明を限定するものではなく、同様の構成でＰＣ以外のＬＡＮに接続される録画装置でも容易に実現可能である。
【００１７】
【発明の効果】
このように、本実施の形態にかかる録画装置は、ネットワーク上に存在するテレビジョン信号を受信するチューナ機能とそのチューナ機能で、利用者によって選択された放送番組を記録する記録手段（以下テレビジョン信号を受信するチューナ機能と受信したテレビジョン番組を録画する録画機能を合わせて、ネットワーク録画リソースと略称）と、前記ネットワーク録画リソースをネットワーク・プロトコルで接続されるネットワークにつながる機器で検出するための検出手段と、検出された前記チューナ機能と記録手段を、検出した機器から制御する手段と、ネットワーク録画リソースが検出されたことを、検出した機器の表示装置上に表示する情報表示機能とを備えることとしたから、ＬＡＮ上に存在するチューナの利用状況を表示装置上に表示することによりネットワーク上のチューナの利用状況が視覚的に理解することができ、ＬＡＮ上で現在利用されていないチューナを選択して録画ができるようになり、ユーザの利便性を大きく高めることができる。
【図面の簡単な説明】
【図１】実施の形態にかかる録画装置の構成を示すブロック図
【図２】実施の形態にかかる表示装置に表示されるアイコンの例を示す図
【図３】実施の形態にかかる録画予約のユーザ操作を説明するための説明図
【図４】実施の形態にかかる録画予約のユーザ操作を説明するための第２の説明図
【図５】実施の形態にかかるＴＶリソースの状況表示に関する説明図
【図６】実施の形態にかかるＴＵＮＥＲ１＿ＳＴＡＴＵＳの記述例を示す図
【図７】実施の形態にかかるＴＶリソースの状況表示に関する第２の説明図
【符号の説明】
１０１  ＴＶ受信手段（チューナ）
１０２  チューナ状況検出登録手段
１０３  チューナ状況記録手段
１０４  チューナリソース状況表示手段
１０５  チューナリソース検出手段
１０６  録画情報登録管理手段
１０７  録画実行手段
１０８  チャンネル選択手段
【図１】
2004289244.tif 000003
【図２】
2004289244.tif 000004
【図３】
2004289244.tif 000005
【図４】
2004289244.tif 000006
【図５】
2004289244.tif 000007
【図６】
2004289244.tif 000008
【図７】
2004289244.tif 000009